(57)【要約】【課題】  マイナスイオンが効果的に放出されるとともに、製造が簡単で安価な防鳥具を提供すること。【解決手段】  マイナスイオンを発生するマイナスイオン発生材Ｔを内部に収納可能であるとともに、可撓性を有する筒状体１ａからなり、該筒状体１ａの長手方向には、内部を閉鎖する閉鎖部３が複数箇所に設けられ、該閉鎖部３により前記マイナスイオン発生材Ｔを収納する収納部２が複数形成されている。【選択図】  図１
2007006785.tif 000002
【特許請求の範囲】
【請求項１】
マイナスイオンを発生するマイナスイオン発生材を内部に収納可能であるとともに、可撓性を有する筒状体からなり、該筒状体の長手方向には、内部を閉鎖する閉鎖部が複数箇所に設けられ、該閉鎖部により前記マイナスイオン発生材を収納する収納部が複数形成されていることを特徴とする防鳥具。
【請求項２】
前記複数の収納部間には、所定長さの非収納部が設けられている請求項１に記載の防鳥具。
【請求項３】
前記筒状体の長手方向の両端部には、他の筒状体と連結するための連結部が形成されており、前記複数の収納部は両連結部よりも内側に形成されている請求項１または２に記載の防鳥具。
【請求項４】
前記筒状体は、伸縮性を有するネット材にて構成されている請求項１〜３のいずれかに記載の防鳥具。
【請求項５】
前記筒状体は、紙材にて構成されている請求項１〜３のいずれかに記載の防鳥具。
【発明の詳細な説明】
【技術分野】
【０００１】
本発明は、例えばゴミの収集所における鳥等の動物によるゴミの散乱や、野菜や果実等の食い荒らし等を防止する防鳥具に関する。
【背景技術】
【０００２】
従来、この種のものとしては、例えばゴミ収集所の周囲や野菜や果実等の周囲にネット等を張り巡らし、該ネットにより鳥の進入を防止するのが一般的であるが、近年においては、例えば予めマイナスイオンを発生させるマイナスイオン発生材を混入したプラスチック粉末によりネットを形成し、該ネットにて例えばゴミを被って使用することにより、該ネットに予め混入されたマイナスイオン発生材から発生するマイナスイオンにより鳥の接近を防止するようにした防鳥ネット等が提案されている（例えば、特許文献１参照）。
【０００３】
【特許文献１】特開２００４−２７５０８８号公報（段落００１４−００１５）
【発明の開示】
【発明が解決しようとする課題】
【０００４】
しかしながら、上記特許文献１に記載の防鳥ネットにあっては、予めマイナスイオン発生材を粉末にしてネットを形成するプラスチック材に予め混入する必要があるため、マイナスイオン発生材を粉末に加工する手間がかかり、製造コストが嵩むばかりか、マイナスイオン発生材の混入量が、繊維の太さや目合いに応じて制限されてしまうといった問題があった。
【０００５】
本発明は、このような問題点に着目してなされたもので、マイナスイオンが効果的に放出されるとともに、製造が簡単で安価な防鳥具を提供することを目的とする。
【課題を解決するための手段】
【０００６】
前記課題を解決するために、本発明の請求項１に記載の防鳥具は、
マイナスイオンを発生するマイナスイオン発生材を内部に収納可能であるとともに、可撓性を有する筒状体からなり、該筒状体の長手方向には、内部を閉鎖する閉鎖部が複数箇所に設けられ、該閉鎖部により前記マイナスイオン発生材を収納する収納部が複数形成されていることを特徴としている。
この特徴によれば、収納部に収納されたマイナスイオン発生材から発生するマイナスイオンにより、鳥の接近を防止することができるとともに、気温により放射線量が変化することから鳥の学習効果がなく、長期にわたり鳥の接近を防止することができる。また、マイナスイオン発生材は複数の収納部に各々個別に収納されることで、使用時においてマイナスイオン発生材が筒状体の長手方向の一端側へ偏ることが防止され、全体的に満遍なくマイナスイオンが放出されるとともに、複数箇所に存在する閉鎖部にて折り曲げができることで、マイナスイオン発生材が収納されていも可撓性が損なわれることがない。
なお、前記マイナスイオン発生材とは、例えばトルマリン石等の天然鉱石や、ジリコニウム系、珪素系セラミックス材等、マイナスイオンを発生する種々の素材が含まれる。
【０００７】
本発明の請求項２に記載の防鳥具は、請求項１に記載の防鳥具であって、
前記複数の収納部間には、所定長さの非収納部が設けられていることを特徴としている。
この特徴によれば、マイナスイオン発生材が収納されていない非収納部が設けられることで、マイナスイオン発生材に邪魔されることなく確実に折り曲げができるため、可撓性が損なわれることをより効果的に回避できるばかりか、マイナスイオン発生材が長手方向にわたって略均一に離間配置され、マイナスイオンが全体的に満遍なく放出される。
【０００８】
本発明の請求項３に記載の防鳥具は、請求項１または２に記載の防鳥具であって、
前記筒状体の長手方向の両端部には、他の筒状体と連結するための連結部が形成されており、前記複数の収納部は両連結部よりも内側に形成されていることを特徴としている。
この特徴によれば、連結部を他の筒状体の端部に連結することで、所望の長さの筒状体を容易に形成することができる。
【０００９】
本発明の請求項４に記載の防鳥具は、請求項１〜３のいずれかに記載の防鳥具であって、
前記筒状体は、伸縮性を有するネット材にて構成されていることを特徴としている。
この特徴によれば、ネット材が伸縮することで、収納部内でマイナスイオン発生材が移動自在となるため、マイナスイオンを効果的に発生させることができる。
【００１０】
本発明の請求項５に記載の防鳥具は、請求項１〜３のいずれかに記載の防鳥具であって、
前記筒状体は、紙材にて構成されていることを特徴としている。
この特徴によれば、マイナスイオン発生材が粒度の細かいパウダー（粉末）状のものであっても収納部に収納することができる。
【発明を実施するための最良の形態】
【００１１】
本発明の実施例を以下に説明する。
【実施例１】
【００１２】
本発明の実施例を図面に基づいて説明すると、図１（ａ）は本発明の実施例１としての防鳥具１を示す図であり、（ｂ）は（ａ）のＡ−Ａ断面図であり、図２は図１の防鳥具の収納部を示す要部拡大図であり、図３は図１の防鳥具の使用例を示す斜視図であり、図４は同じく図１の防鳥具の他の使用例を示す斜視図であり、図５（ａ）は図１の防鳥具１と他の防鳥具１’との連結部を示す図であり、（ｂ）は連結された複数の防鳥具の使用例を示す図である。
【００１３】
本発明の実施例としての防鳥具１は、図１に示されるように、ナイロン樹脂等の合成樹脂材により筒状に形成された所定長さ（本実施例では約１メートル）のネット材１ａ（筒状体）にて形成されている。該ネット材１ａ全体は伸縮性を有しているとともに、ネット材１ａの両端は熱溶着にて閉鎖されている。
【００１４】
ネット材１ａの長手方向における複数箇所には、熱溶着による溶着にて閉鎖部３が形成され、これら複数の閉鎖部３にて内部空間が長手方向に向けて複数に区画されており、これら複数の閉鎖部３にて両側が閉鎖された内部空間内には、マイナスイオン発生材の一例としての粒状のトルマリンＴが所定量ずつ収納されている。つまり、閉鎖部３にて両側が閉鎖された内部空間はトルマリンＴが収納される収納部２とされている。
【００１５】
詳しくは、収納部２は、ネット材１ａの長手方向に向けて所定間隔おきに複数配設されており、各収納部２、２間には、前記トルマリンＴが収納されていない所定長さの非収納部４が形成されている。すなわち、ネット材１ａの長手方向には複数の収納部２及び非収納部４が交互に配置されており、各収納部２、２同士は互いに所定距離離間した状態で配置されている。
【００１６】
なお、本実施例においては、ネット材１ａの所定箇所を熱溶着にて溶着することにより閉鎖部３が形成されていたが、例えばネット材１ａの所定箇所を紐等で縛る、ホチキス等で綴じる、縫製する等、内部空間を閉鎖できれば種々の閉鎖方法、閉鎖手段が適用可能である。
【００１７】
また、各収納部２、２を連接する非収納部４の長さは一定であり、収納部２が一定間隔おきに配設されているが、収納部２の配置間隔は一定でなくてもよいし、非収納部４や収納部２の長さは任意に変更可能である。
【００１８】
また、本実施例におけるトルマリンＴの粒の大きさは約１センチメートルであるが、大きさは任意である。
【００１９】
ネット材１ａの長手方向の両端側には、トルマリンＴが収納されていない所定長さ（本実施例では約１０センチメートル）の連結部５、５が形成されており、これら連結部５と後述する他の防鳥具１の端部とを結ぶことで、長寸の防鳥具を容易に構成できるようになっている。
【００２０】
複数の収納部２は、内部に収納された粒状のトルマリンＴにより膨出しており、これら収納部２は非収納部４及び両連結部５、５に比べて太くなっている。また、収納部２は伸縮性を有するネット材１ａにて構成されていることで、図２に示されるように、収納部２が膨出可能であることにより、収納部２内にて粒状のトルマリンＴが移動自在となるため、後述するような使用時において、風等の何らかの外力が加わったときに各トルマリン同士が互いに接触しやすくなり、これにより圧電効果が生じて微弱な電流が生じるようになる。特にカラス等にあっては、この微弱な電流が生じていることを人間よりも敏感に察知することから、鳥の接近が効果的に防止される。
【００２１】
本実施例における防鳥具１は、所定長さに形成された筒状のネット材１ａ内に、粒状のトルマリンＴを所定間隔おきに、かつ、所定量ずつ収納して離間配置した状態で、離間配置された所定量のトルマリンＴの両側を熱溶着にて溶着して閉鎖部３を形成し、長手方向にわたって所定間隔おきに収納されたトルマリンＴの長手方向への流動を規制するとともに、長手方向の両端を同じく熱溶着により溶着して閉鎖することで完成する。
【００２２】
このように構成された本実施例における防鳥具１にあっては、例えば図３に示されるように、ゴミ収集所におけるゴミ置き場の側面及び背面に立設された壁Ｗ等の上部から吊り下げて使用したり、あるいは図４に示されるように、壁Ｗの上端面に沿うように配置することにより、収納部２に収納されたマイナスイオン発生材としてのトルマリンＴから発生するマイナスイオンにより、鳥の接近を防止することができるとともに、トルマリンＴは気温により放射線量が変化することから鳥の学習効果もなく、長期にわたり鳥の接近を防止することができる。
【００２３】
また、マイナスイオン発生材としてのトルマリンＴを粉末にしてネット材１ａを構成する素材に予め混入して成形する等の加工が不要であり、筒状に形成したネット材１ａの内部に粒状のトルマリンＴを収納するだけの簡単な作業工程で防鳥具１を構成できるため、安価な防鳥具１を提供することができるとともに、収納部２内に所望量のトルマリンＴを収納することができる。
【００２４】
また、トルマリンＴは複数の収納部２に各々個別に収納されることで、例えば特に図３に示されるように吊り下げて使用する際において、各々の収納部２内に収納されたトルマリンＴが、ネット材１ａの長手方向の一端側に偏ることが防止されるため、ネット材１ａの長手方向にわたって略均等にトルマリンＴを配置することができる。
【００２５】
さらに各収納部２、２間にトルマリンＴが存在しない非収納部４が形成されることで、トルマリンＴに邪魔されることなく、トルマリンＴが収納されていない非収納部４にて確実に屈曲性を持たせることができるため、可撓性が損なわれることをより効果的に回避できるため、例えば図５（ｂ）に示されるように、ベランダの手摺り６や、ポール、あるいはアンテナ等に巻き付けて使用することも可能である。また、トルマリンＴが長手方向にわたって略均一に離間配置されるため、マイナスイオンが全体的に満遍なく放出される。
【００２６】
また、図４に示されるような使用の際において、長さが足らないときは、図５（ａ）に示されるように、防鳥具１の端部に形成された所定長さの連結部５と、他の防鳥具１’の端部に形成された連結部５とを結んで連結することで、所望の長さの防鳥具１を容易に形成することができる。
【００２７】
なお、本実施例においては連結部５、５同士を結ぶことにより連結しているが、テープやフック等を利用して連結するようにしてもよい。
【実施例２】
【００２８】
次に、本発明の実施例２としての防鳥具１０につき、図６を参照して説明する。尚、前記実施例１と同一構成で重複する構成の説明は省略することとする。
【００２９】
図６（ａ）は本発明の実施例２としての防鳥具を示す図であり、（ｂ）は（ａ）のＢ−Ｂ断面図であり、本実施例２における防鳥具１０は、所定長さを有する帯状の紙材１０ａからなり、長辺部や短辺部を図６（ａ）（ｂ）に示されるように縫製して縫製部Ｍを形成することにより筒状に形成されている。
【００３０】
防鳥具１０の長手方向における複数箇所には、縦方向に縫製することにより閉鎖部３が形成され、これら複数の閉鎖部３にて内部空間が複数に区画されており、これら複数の閉鎖部３にて両側が閉鎖された内部空間である収納部２内には、マイナスイオン発生材の一例としての粒状のトルマリンＴが所定量ずつ収納されている。なお、本実施例におけるトルマリンＴは、前記実施例１におけるトルマリンＴよりも粒度が細かいトルマリンが適用されている。
【００３１】
収納部２は、前記実施例１の防鳥具１と同様に、防鳥具１０の長手方向に向けて所定間隔おきに複数配設されており、各収納部２、２間には、前記トルマリン石が収納されていない非収納部４が形成されている。つまり、防鳥具１の長手方向には、収納部２と非収納部４とが交互に配置されており、各収納部２、２同士は所定距離離間した状態で配置されている。
【００３２】
このように、防鳥具１０が紙材１０ａにて筒状に構成されていることにより、粒状のトルマリンＴをより粒度が細かいパウダー（粉末）状にして収納部２に収納することができる。このように粒度を細かくすることでトルマリンＴの表面積が大となり、マイナスイオンが効果的に発生することになる。
【００３３】
以上説明したように、本発明にあっては、防鳥具を構成する素材は、実施例１に記載のネット材１ａに適用した合成樹脂材に限定されるものではなく、実施例２に示されるような紙材であってもよく、収納部２内に収納されたトルマリンＴから発生したマイナスイオンの放出を妨げるものでなければ、その材質は任意である。また、収納部２は必ずしも伸縮性を有していなくてもよい。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、マイナスイオン発生材として、トルマリン石を粒状に粉砕したものが適用されていたが、本発明にあっては、例えば温泉地帯に多い天然鉱石や、ジリコニウム系、珪素系セラミックス材等、マイナスイオンを発生する種々の素材を適用可能である。
【００３６】
また、前記実施例１、２においては、防鳥具１をゴミ収集所に適用した例を記載したが、使い方や用途は限定されるものではなく、例えば庭、畑、果実園等の野菜や果実（例えばデコポン（登録商標）等）に対する鳥の接近を防止することを目的として使用してもよい。このような場合においては、例えば防鳥具１をビニールハウスを形成する骨材等に吊り下げあるいは巻き付けて使用することで、鳥がビニールを突き破って進入し、室内の野菜や果実を食い荒らす等の被害を回避できる。また、防鳥具１を、樹木や枝、あるいは野菜や果実等の茎等に直接吊り下げあるいは巻き付けたり、あるいはこれら保護する対象物の周囲を囲むように張り巡らすことで、鳥の接近を防止するようにしてもよい。
【００３７】
また、前記実施例１の防鳥具１を構成するネット材１ａ及び実施例２の防鳥具１０を構成する紙材１０ａを、対象となる鳥が嫌うとされる色（例えば黄色等）に着色することで、鳥の接近をより効果的に防止することができる。
【００３８】
さらに、ネット材１ａや紙材１０ａに、マイナスイオン発生材を塗布したり、あるいは成形時に混入させておくことで、より多くのマイナスイオンを発生させるようにしてもよい。
【００３９】
なお、前記実施例１、２に記載した防鳥具１、１０にはマイナスイオン発生材の一例であるトルマリンＴが収納されているため、上記実施例１、２に記載したように、鳥の接近を防止することを目的として使用するだけでなく、例えば屋内に載置したり、風呂に入れたり、飲料水に入れたり、水槽に入れたりする等、トルマリンから発生するマイナスイオン効果により、血行促進や細胞活性等の健康効果や、除粉塵、消臭、抗菌作用等を得ることを目的として使用することが可能である。
【００４０】
また、本発明の防鳥具は、マイナスイオンにより接近を防止することができるものであれば、その対象となるのは鳥だけでなく、猫、犬等の他の動物であってもよい。
【図面の簡単な説明】
【００４１】
【図１】（ａ）は本発明の実施例１としての防鳥具１を示す図であり、（ｂ）は（ａ）のＡ−Ａ断面図である。
【図２】図１の防鳥具の収納部を示す要部拡大図である。
【図３】図１の防鳥具の使用例を示す斜視図である。
【図４】同じく図１の防鳥具の他の使用例を示す斜視図である。
【図５】（ａ）は図１の防鳥具１と他の防鳥具１’との連結部を示す図であり、（ｂ）は連結された複数の防鳥具の使用例を示す図である。
【図６】（ａ）は本発明の実施例２としての防鳥具を示す図であり、（ｂ）は（ａ）のＢ−Ｂ断面図である。
【符号の説明】
【００４２】
１          防鳥具
１ａ        ネット材（筒状体）
２          収納部
３          閉鎖部
４          非収納部
５          連結部
６          手摺り
Ｔ          トルマリン（マイナスイオン発生材）
Ｗ          壁
【図１】
2007006785.tif 000003
【図２】
2007006785.tif 000004
【図３】
2007006785.tif 000005
【図４】
2007006785.tif 000006
【図５】
2007006785.tif 000007
【図６】
2007006785.tif 000008